(57)【要約】　　　（修正有）【課題】携帯機器の外観を損なわずに、携帯機器を載置部に確実に固定し、簡単で安全に取り外せる。【解決手段】携帯端末機１を載置する載置台２の上端面に配置された回転アーム２４を、載置台２の上側内部に設けられた軸部材２５に回動可能に支持すると共にコイルばね２６で下方に向けて付勢し、この回転アーム２４の前端部に回転可能に設けられたローラ部材２７で載置台２に載置された携帯端末機１の上部前面を係脱可能に係止する。携帯端末機１を載置台２に載置して押し付けると、ローラ部材２７が携帯端末機１の上部前面を係止して携帯端末機１を載置台２に固定する。携帯端末機１を載置台２から取り外す際には、携帯端末機１の上部を片手で掴むときに、その手の指先で回動アーム２４を押し上げてローラ部材２７による携帯端末機１の係止を解除する。【選択図】　　図１５
0003098456.tif 000002
【実用新案登録請求の範囲】
【請求項１】
携帯機器が載置される載置部と、
この載置部の上側内部に固定される軸部材と、
この軸部材に回動可能に支持されて前記載置部の上端面に対し上下方向に回動する回転アームと、
この回転アームを下方に向けて付勢する付勢部材と、
前記回転アームの前端部に回転自在に取り付けられて前記載置部に載置された前記携帯機器の上部前面を係脱可能に係止するローラ部材と
を備えていることを特徴とする携帯機器用載置装置。
【請求項２】
前記ローラ部材は、前記軸部材よりも上方に位置していることを特徴とする請求項１に記載の携帯機器用載置装置。
【請求項３】
前記回転アームには、前記軸部材が移動可能に挿入する長孔形状の取付孔が設けられていることを特徴とする請求項１または２に記載の携帯機器用載置装置。
【請求項４】
前記携帯機器を前記載置部から離脱させる方向に付勢する押出部材を備えていることを特徴とする請求項１〜３のいずれかに記載の携帯機器用載置装置。
【考案の詳細な説明】
【０００１】
【考案の属する技術分野】
この考案は、携帯端末機や携帯電話機などの携帯機器を載置する携帯機器用載置装置に関する。
【０００２】
【従来の技術】
従来、携帯機器である携帯電話機を載置する携帯機器用載置装置には、携帯電話機を載置する装置本体に固定フックと可動フックとを設け、この固定フックと可動フックとによって携帯電話機を係脱可能に係止して、携帯電話機を装置本体に固定するように構成したものがある（例えば、特許文献１参照。）。
【０００３】
【特許文献１】
特開平６−６４３４号公報
【０００４】
この特許文献１の携帯機器用載置装置では、装置本体に携帯電話機を載置するときに、携帯電話機の一端部を固定フックと可動フックとのいずれか一方に係止させ、この状態で携帯電話機を装置本体に押し付けると、可動フックが可動して携帯電話機の他端部が固定フックと可動フックとのいずれか他方に係止されるので、簡単に携帯電話機を固定フックと可動フックとによって装置本体に固定することができる。
【０００５】
【考案が解決しようとする課題】
しかしながら、このような携帯機器用載置装置では、簡単に携帯電話機を固定フックと可動フックとによって装置本体に固定することができても、携帯電話機を装置本体から取り外すときに、携帯電話機を手で掴み、この状態で携帯電話機を可動フック側に向けて移動させなければ、携帯電話機に対する固定フックの係止を解除することができないため、携帯電話機の取外し操作が面倒であるという問題があるほか、特に携帯電話機に固定フックと可動フックとがそれぞれ係脱可能に係合する凹部状の係合部を形成しなければならないため、この凹部状の係合部によって携帯電話機の外観が損なわれるという問題もある。
【０００６】
この考案の課題は、携帯機器の外観を損なうことなく、携帯機器を載置部に確実に固定できると共に、簡単に且つ安全に取り外すことができるようにすることである。
【０００７】
【課題を解決するための手段】
この考案は、上記課題を解決するために、次のような構成要素を備えている。なお、各構成要素には、後述する各実施形態の項で説明される各要素に付されている図面の参照番号などを括弧と共に付す。
請求項１に記載の考案は、図１〜図１７に示すように、携帯機器（携帯端末機１）が載置される載置部（載置台２）と、この載置部の上側内部に固定される軸部材（２５）と、この軸部材に回動可能に支持されて前記載置部の上端面に対し上下方向に回動する回転アーム（２４）と、この回転アームを下方に向けて付勢する付勢部材（一対のコイルばね２６）と、前記回転アームの前端部に回転自在に取り付けられて前記載置部に載置された前記携帯機器の上部前面を係脱可能に係止するローラ部材（２７）とを備えていることを特徴とする携帯機器用載置装置である。
【０００８】
この考案によれば、携帯機器を載置部に固定するときに、携帯機器の下部を載置部に載置し、この状態で携帯機器の上部を載置部に向けて押し付けると、携帯機器の上端部がローラ部材に当接するが、このときにローラ部材が携帯機器の上端部に沿って転動しながら付勢部材の付勢力に抗して押し上げられるので、回転アームが軸部材を中心に載置部の上端面の上方に向けて回動し、これによりローラ部材が携帯機器の上端部を乗り越えると、付勢部材の付勢力によって回転アームが下方に向けて回動し、これに伴ってローラ部材が携帯機器の上部前面側に押し下げられて携帯機器の上部前面を係止するので、ローラ部材によって携帯機器の上端部を載置部との間に挟むことができ、これにより携帯機器を載置部に確実に固定することができる。
【０００９】
また、この携帯機器を載置部から取り外すときには、携帯機器の上部を片手で掴むときに、その片手の人指し指で付勢部材の付勢力に抗して回転アームを上方に回動させることにより、ローラ部材による携帯機器の係止を解除することができるので、携帯機器の上部を容易に掴むことができ、これにより携帯機器を片手で掴む一連の動作によって携帯機器を載置部から簡単に且つ安全に取り外すことができる。この場合、特に回転アームに取り付けられたローラ部材が携帯機器の上部を載置部との間に挟んだ状態で携帯機器の上部前面を係止するので、先行文献のように携帯機器の外周面に凹部状の係合部を設ける必要がなく、このため携帯機器の外観が損なわれず、外観的にもデザイン的に好ましい携帯機器を得ることができる。
【００１０】
請求項２に記載の考案は、図１３〜図１５に示すように、前記ローラ部材（２７）が、前記軸部材（２５）よりも上方に位置していることを特徴とする請求項１に記載の携帯機器用載置装置である。
この考案によれば、ローラ部材が軸部材よりも上方に位置していることにより、回転アームに設けられたローラ部材が軸部材を中心とする円弧状の軌跡上を移動するので、回転アームが下方に向けて回動するときに、ローラ部材が上方から載置部の上部前方に向けて斜め下方に移動することなり、これによりローラ部材によって携帯機器の上部前面を確実に係止することができる。また、この状態でローラ部材による携帯機器の係止を解除するためには、ローラ部材を下部側から載置部の上部後方に向けて斜め上方に移動させる必要があるため、不用意に回転アームが上方に向けて回動してローラ部材による携帯機器の係止が解除されるのを防ぐことができる。
【００１１】
請求項３に記載の考案は、図１３〜図１７に示すように、前記回転アーム（２４）に、前記軸部材（２５）が移動可能に挿入する長孔形状の取付孔（３４）が設けられていることを特徴とする請求項１または２に記載の携帯機器用載置装置である。
この考案によれば、携帯機器を載置部に固定するときに、携帯機器の上端部がローラ部材を押し上げて乗り越えると、付勢部材の付勢力によってローラ部材が上方から載置部の前方に向けて斜め下方に移動するが、このときに回転アームに設けられた長孔形状の取付孔内に沿って軸部材が相対的に移動することにより、回転アームがその長孔形状の取付孔内に沿って軸部材に対し移動するので、携帯機器の上端部の前側角部に対するローラ部材の食い込みや噛りなどの干渉を防ぐことができ、これによりローラ部材が携帯機器の上端部を円滑に乗り越えることができる共に、ローラ部材によって携帯機器の上端部を確実に係止することができる。また、ローラ部材による携帯機器の係止を解除するときも、同様に、回転アームがその長孔形状の取付孔に沿って軸部材に対し移動するので、円滑に回転アームを上方に回動させてローラ部材による携帯機器の係止を解除することができ、これにより携帯機器に対するローラ部材の係脱動作を円滑に且つ良好に行うことができる。
【００１２】
請求項４に記載の考案は、図１３〜図１７に示すように、前記携帯機器（携帯端末機１）を前記載置部（載置台２）から離脱させる方向に付勢する押出部材（２３）を備えていることを特徴とする請求項１〜３のいずれかに記載の携帯機器用載置装置である。
この考案によれば、携帯機器の上部を片手で掴むときに、その片手の人指し指で付勢部材の付勢力に抗して回転アームを上方に回動させて、ローラ部材による携帯機器の係止を解除すると、押出部材によって携帯機器の上部が載置部から離脱する方向に押し出されて片手の掌に飛び込むので、携帯機器を載置部から取り外すときに、携帯機器の上部を確実に掴むことができ、これにより携帯機器の取外し操作性を向上させることができ、より一層、携帯機器を簡単に且つ安全に取り外すことができる。
【００１３】
【考案の実施の形態】
以下、図１〜図１７を参照して、この考案の携帯機器用載置装置の一実施形態について説明する。
図１はこの考案の携帯機器用載置装置に携帯機器である携帯端末機を載置して固定した状態を示した外観斜視図、図２はその携帯端末機を取り外した状態の携帯機器用載置装置を示した外観斜視図、図３はその携帯機器用載置装置を背面側から見た外観斜視図である。
この携帯機器用載置装置は、図１に示すように、携帯端末機１を着脱可能に載置する載置台２を備えている。この載置台２は、図２に示すように、携帯端末機１を電気的に接続した状態で携帯端末機１の下部を載置する第１載置部材３と、この第１載置部材３に取り付けられて携帯端末機１の上部を係脱可能に固定する第２載置部材４とで構成されている。
【００１４】
携帯端末機１は、図１に示すように、長方形のほぼ平板状に形成され、その短辺側の幅（同図では左右方向の幅）が片手で掴める程度の大きさの機器ケース５を備えている。この機器ケース５の表面には、表示部６とキー入力部７とが設けられている。表示部６は、液晶表示素子やＥＬ表示素子（エレクトロルミネッセンス表示素子）などの平面型の表示素子からなり、機器ケース５の上部側に設けられ、電気光学的に情報を表示するように構成されている。キー入力部７は、テンキー、機能キー、ファンクションキーなどの各種のキーを備え、機器ケース５の下部側に設けられている。また、この機器ケース５の下端面には、機器側接続部（図示せず）が設けられている。この機器側接続部は、第１載置部材３に対し電気的に接続される電極端子部と、第１載置部材３に対し光通信を行う機器側通信部とを備えている。
【００１５】
この携帯端末機１を載置する載置台２の第１載置部材３は、図２に示すように、全体がほぼ山形状に形成され、その内部が中空に形成されている。この第１載置部材３の正面には、携帯端末機１の機器ケース５の下部側が装着する下部装着凹部８が設けられている。この下部装着凹部８は、第１載置部材３の正面および上部側が開放されていると共に、その右側も切り欠かれて開放され、これにより携帯端末機１の機器ケース５の下部側が上方から挿入して、携帯端末機１全体を後方に傾けて起立させた状態で装着するように構成されている。この場合、下部装着凹部８の底部には、載置側接続部（図示せず）が設けられている。
【００１６】
この載置側接続部は、図示しないが、接続端子部と載置側通信部とを備え、第１載置部材の下部装着凹部８に携帯端末機１の下部が装着されたときに、接続端子に携帯端末機１の電極端子部が接触して電気的に接続されると共に、載置側通信部に携帯端末機１の機器側通信部が対応し、この状態で光通信によってデータの授受が行われるように構成されている。また、この第１載置部材３の正面における下部装着凹部８の下側には、図１および図２に示すように、電源状態や通信状態を表示するランプ部１０が設けられている。なお、この第１載置部材３の右側面の下部には、図１２〜図１７に示すように、電源スイッチ１２が設けられており、第１載置部材３の背面における下部には、外部機器と接続するためのコネクタやジャックなどの外部機器接続部（図示せず）が設けられている。
【００１７】
一方、携帯端末機１の上部を固定する第２載置部材４は、図４〜図６に示すように、フロントケース１３とリアケース１４とを備え、これらがほぼ平板状の箱状に形成され、第１載置部材３の背面側に取り付けられて第１載置部材３の上方に突出するように構成されている。すなわち、フロントケース１３は、図４および図５に示すように、第１載置部材３の背面に対応する下部側が傾斜した取付凹部１５に形成され、この取付凹部１５が図２に示すように第１載置部材３の背面に密着して取り付けられ、これによりフロントケース１３の上部側が第１載置部材３の上方に突出すると共に、フロントケース１３全体が後方（図２では左側）に向けて少し傾いた状態で第１載置部材３に対し起立するように構成されている。
【００１８】
この場合、取付凹部１５の上部には、図４および図５に示すように、第１載置部材３の下部装着凹部８の上端部に挿入して係合する係合片１６が設けられている。また、この取付凹部１５の中間部には、第１載置部材３の背面に設けられた一対の位置決め突起（図示せず）が挿入する一対の位置決め孔１７が設けられていると共に、ビス１１（図３参照）が挿入する挿入孔１８が設けられている。これにより、取付凹部１５は、その挿入孔１８に背面側から挿入されたビス１１が第１載置部材３の背面に設けられたねじ孔（図示せず）に螺入することにより、第１載置部材３の背面に取り付けられるように構成されている。なお、この取付凹部１５の下部には、第１載置部材３の背面側下部に設けられたコネクタやジャックなどの外部機器接続部（図示せず）に対応する長方形状の開口部１９が設けられている。
【００１９】
また、フロントケース１３の上部側は、図２に示すように、第１載置部材３の上方に突出するように構成されている。このフロントケース１３の上部側の正面には、図４および図５に示すように、携帯端末機１の上部が装着する上部装着凹部２０が設けられており、この上部装着凹部２０の下側における両側部には、携帯端末機１を掴みやすくするための傾斜面２１が形成されている。この場合、上部装着凹部２０は、携帯端末機１の上部における裏面、上端面、および両側面が対応して嵌合する凹部形状に形成されている。また、この上部装着凹部２０の上部には、図１に示すように、携帯端末機１の上部を係脱可能にロックするロック部材２２が設けられており、この上部装着凹部２０内の底面（図２では正面）には、装着された携帯端末機１を離脱する方向つまり第２載置部材４の前方に向けて押し出す押出部材２３が設けられている。
【００２０】
ロック部材２２は、図８に示すように、フロントケース１３の上端面に配置される回転アーム２４と、この回転アーム２４を上下方向に回転可能に支持する軸部材２５と、回転アーム２４を下方に向けて付勢する一対のコイルばね２６と、回転アーム２４の先端部に設けられたローラ部材２７とを備えている。この場合、フロントケース１３の上端面には、開口部２８が設けられていると共に、この開口部２８の左右両側に溝部２９がフロントケース１３の前面に到達して設けられている。また、このフロントケース１３の上側内部にはリブ３０が設けられており、このリブ３０には軸部材２５を保持する軸受溝３１が設けられている。
【００２１】
回転アーム２４は、金属板からなり、図８に示すように、フロントケース１３の上端面に配置されるアーム本体３２と、このアーム本体３２の後端部（図８では右端部）に垂下されたアーム支持部３３とを備え、このアーム支持部３３がフロントケース１３の開口部２８を通してフロントケース１３の内部に挿入され、この挿入されたアーム支持部３３が軸部材２５に回転可能に取り付けられるように構成されている。すなわち、この回転アーム２４は、アーム支持部３３の両側におけるほぼ中間部分に一対の取付孔３４が対向して設けられ、これら一対の取付孔３４に軸部材２５が挿入し、この軸部材２５がフロントケース１３内のリブ３０に設けられた軸受溝３１に保持されることにより、軸部材２５を中心にアーム本体３２がフロントケース１３の上端面に対し上下方向に回動するように構成されている。
【００２２】
この場合、アーム支持部３３の取付孔３４は、軸部材２５が移動可能に挿入する長孔形状に形成され、これにより回転アーム２４全体がフロントケース１３内に固定された軸部材２５に対し前後方向に移動するように構成されている。また、この回転アーム２４のアーム本体３２の上部には、合成樹脂製のカバー部材３５が取り付けられている。このカバー部材３５は、図９に示すように、その前端側（図９では左側）の内部に一対のフック部３６が設けられ、このフック部３６にアーム本体３２の前端部（図９では左端部）が係止されてアーム本体３２の上面に配置され、この状態でアーム支持部３３に設けられた取付片３７の孔３７ａにビス３８を挿入させてカバー部材３５のボス孔３９に螺入することにより、アーム本体３２の上面に取り付けられている。また、このカバー部材３５の前端部には、使用者の指が前側下方から挿入して回転アーム２４を押し上げるための押上凹部４０が設けられている。
【００２３】
また、ロック部材２２の一対のコイルばね２６は、図７、図８、図１３〜図１５に示すように、フロントケース１３内にビス４１によって取り付けられた固定金具４２の取付部４２ａと、回転アーム２４のアーム支持部３３の下端部との間にほぼ水平に取り付けられ、これによりアーム支持部３３をフロントケース１３の後方（図１３では右側）に向けて引き寄せることにより、軸部材２５を中心に回転アーム２４が図１３において反時計回り、つまりアーム本体３２を下方に向けて付勢するように構成されている。この場合、固定金具４２の取付部４２ａは、アーム支持部３３の下端部の後方（図１３では右側）にほぼ水平に離れて配置されている。また、軸部材２５は、一対のコイルばね２６によってアーム支持部３３が固定金具４２の取付部４２ａ側（図１３では右側）に向けて付勢されていることにより、アーム支持部３３に設けられた長孔形状の取付孔３４内における前端部（図１３では左端部）に位置している。
【００２４】
ローラ部材２７は、図８および図９に示すように、ローラ軸４３と、このローラ軸４３に装着されるゴムローラ４４と、ローラ軸４３の両端部に回転自在に取り付けられる軸受４５とを備え、この軸受４５が回転アーム２４のアーム本体３２の前端側における両側下部に設けられた取付孔４６に取り付けられ、これにより回転アーム２４に回転自在に取り付けられている。この場合、ローラ部材２７は、図１２に示すように、通常は第２載置部材４の上端部から携帯端末機１のほぼ厚み分だけ前方に突出していると共に、第２載置部材４の上端面から下方に向けて突出し、これにより携帯端末機１の上端部を上部装着凹部２０内に挟み込むように構成されている。
【００２５】
また、このローラ部材２７は、図１３〜図１５に示すように、回転アーム２４の回転中心である軸部材２５よりも上方に位置し、これにより軸部材２５を中心とするほぼ円弧状の移動軌跡を描いて上下方向に移動するように構成されている。すなわち、このローラ部材２７は、図１３に示すように、軸部材２５を中心に上方に向けて移動するときに、下部側から後部側上方（同図では右側上方）に向けて斜めに移動し、また逆に下方に向けて移動するときに、上部側から前側下方（同図では左側下方）に向けて斜めに移動するように構成されている。また、このローラ部材２７は、軸部材２５を中心に上下方向に移動するときに、図１４に示すように、一対のコイルばね２６のばね力に抗してアーム支持部３３に設けられた長孔形状の取付孔３４内に沿って軸部材２５が相対的に移動することにより、回転アーム２４が軸部材２５に対し移動するため、前後方向にも移動するように構成されている。
【００２６】
一方、押出部材２３は、図１１に示すように、フロントケース１３の上部装着凹部２０における底面（図１１では正面）に形成された長方形状の収納凹部４７内に出没可能に配置される押出片４８を備えている。この押出片４８の下面における両側には、図１１に示すように、収納凹部４７の内部両側に設けられた貫通孔（図示せず）にフロントケース１３の前後方向（図１１では左右方向）に移動可能に挿入して係止される係止脚４９が形成されており、この押出片４８の下面における中間部には、図１１および図１３に示すように、コイルばね５０が収納凹部４７に設けられたコイルガイド４７ａによってガイドされた状態で、押出片４８の下面と収納凹部４７の底面との間に配置されている。
【００２７】
また、この押出片４８の下面には、図１１に示すように、一対のガイドピン（図示せず）が収納凹部４７内に設けられたガイド筒部４７ｂに挿入されてガイドされており、この押出片４８の上面には、ゴムなどの緩衝材５１が接着されている。これにより、押出部材２３は、携帯端末機１の上部がフロントケース１３の上部装着凹部２０に押し込まれるときに、図１４および図１５に示すように、押出片４８が収納凹部４７内に押し込まれてコイルばね５０が収納凹部４７内に圧縮され、またこの状態でローラ部材２７による携帯端末機１の上部前面の係止が解除されたときに、図１３に示すように、圧縮されたコイルばね５０のばね復帰力によって押出片４８が上部装着凹部２０からその前方に（図１１では左側）に向けて付勢され、これにより図１２に示すように押出片４８が携帯端末機１の上部を上部装着凹部２０内から押し出すように構成されている。
【００２８】
なお、第２載置部材４のリアケース１４は、図３に示すように、ビス５２によってフロントケース１３の裏面に取り付けられている。すなわち、リアケース１４は、図３および図６に示すように、その裏面に設けられた凹部状のボス５３の孔５３ａにビス５２を挿入させ、このビス５２を図７に示すようにフロントケース１３内に設けられたボス孔５４に螺入することにより、フロントケース１３の裏面に取り付けられている。また、このリアケース１４における裏面の下部には、図３および図６に示すように、第１載置部材３の背面に設けられたコネクタやジャックなどの外部機器接続部（図示せず）に対応する長方形状の開口部５５がフロントケース１３の開口部１９に対応して設けられている。
【００２９】
また、このリアケース１４の背面には、図３に示すように、自動車の車内、または室内の壁などに載置台２を取り付けるための第１、第２取付孔５６、５７が設けられている。この第１、第２取付孔５６、５７は、種類の異なるねじ孔に形成されている。すなわち、第１取付孔５６は、メートルねじで、第２載置部材４のリアケース１４の４か所に設けられており、第２取付孔５７は、ユニファイねじで、リアケース１４の２か所に設けられている。
【００３０】
次に、このような携帯機器用載置装置を組み立てる場合について説明する。
この場合には、まず、図１１に示すように、第２載置部材４のフロントケース１３における上部装着凹部２０内の底面に押出部材２３を取り付けると共に、図７〜図１０に示すように、フロントケース１３の上部にロック部材２２を取り付ける。すなわち、押出部材２３を取り付けるときには、図１１に示すように、フロントケース１３の上部装着凹部２０に設けられた収納凹部４７内のコイルガイド４７ａにコイルばね５０をガイドさせて配置し、この状態で押出片４８を収納凹部４７内に収納する。このときには、押出片４８のガイドピン５１を収納凹部４７内のガイド筒部４７ｂに挿入させると共に、押出片４８の係止脚４９を収納凹部４７内の貫通孔４７ａに挿入させて係止させる。これにより、図１３〜図１５に示すように、押出部材２３をフロントケース１３の上部装着凹部２０に取り付けることができる。
【００３１】
また、ロック部材２２をフロントケース１３の上部に取り付けるときには、まず、図８および図９に示すように、ローラ部材２７を回転アーム２４に取り付ける。すなわち、ローラ軸４３の両側にゴムローラ４４を取り付け、この状態で回転アーム２４のアーム本体３２の前端部における両側下部に設けられた取付孔４６に軸受４５をそれぞれ取り付け、この軸受４５にローラ軸４３の両端を回転自在に挿入させて取り付ける。これにより、ローラ部材２７を回転アーム２４の前端下部に取り付けることができる。この後、回転アーム２４のアーム本体３２にカバー部材３５を取り付ける。このときには、図９に示すように、カバー部材３５の前端側の内部に設けられた一対のフック部３６にアーム本体３２の前端部を係止させてアーム本体３２の上面にカバー部材３５を配置し、この状態でアーム支持部３３に設けられた取付片３７の孔３７ａにビス３８を挿入させてカバー部材３５のボス孔３９に螺入する。これにより、カバー部材３５を回転アーム２４に取り付けることができる。
【００３２】
そして、この回転アーム２４をフロントケース１３の上部に取り付けるときには、図１０に示すように、軸部材２５の両端部を回転アーム２４のアーム支持部３３に設けられた長孔形状の取付孔３４に挿入させ、この状態で回転アーム２４のアーム支持部３３を図８に示すフロントケース１３の上端面に設けられた開口部２８内に上方から挿入して、アーム本体３２をフロントケース１３の上端面に配置すると共に、アーム支持部３３の軸部材２５の両端部をフロントケース１３内のリブ３０に設けられた軸受溝３１に挿入させて配置する。この状態で、固定金具４２をフロントケース１３内にビス４１によって取り付けると、軸部材２５がフロントケース１３内に固定され、これにより回転アーム２４が軸部材２５を中心に上下方向に回動可能に取り付けられる。
【００３３】
この後、図１３〜図１５に示すように、固定金具４２の取付部４２ａとアーム支持部３３の下端部との間に一対のコイルばね２６をほぼ水平に取り付ける。すると、一対のコイルばね２６によってアーム支持部３３がフロントケース１３の後方（図１３では右側）に向けて引き寄せられ、これにより軸部材２５がアーム支持部３３の長孔形状の取付孔３４における前端部（図１３では左端部）に位置すると共に、この軸部材２５を中心に回転アーム２４が図８において反時計回り、つまりアーム本体３２が下方に向けて付勢される。この状態では、図１３〜図１５に示すように、回転アーム２４に取り付けられたローラ部材２７が回転アーム２４の回転中心である軸部材２５よりも上方に位置することにより、軸部材２５を中心とするほぼ円弧状の移動軌跡に沿って上下方向に移動可能となる。また、この状態では、一対のコイルばね２６のばね力に抗して軸部材２５が後方に向けて相対的に移動するので、回転アーム２４が軸部材２５に対し前後方向（図１３では左右方向）にも移動可能となる。
【００３４】
そして、フロントケース１３の背面にリアケース１４を取り付けると、図２に示すように、第２載置部材４が構成され、この第２載置部材４を第１載置部材３の背面に取り付ける。このときには、第２載置部材４のフロントケース１３における下部側の取付凹部１５を第１載置部材３の背面に対応させ、この状態でフロントケース１３の取付凹部１５の上部に設けられた係合片１６を第１載置部材３の下部装着凹部８の上端部に挿入させて係合させ、図５に示すように、フロントケース１３の取付凹部１５に設けられた位置決め孔１７に第１載置部材３の背面に設けられた位置決め突起（図示せず）を挿入させて位置決めする。この状態で、第２載置部材４の背面つまりリアケース１４側からビス１１をフロントケース１３の挿入孔１８に挿入させて第１載置部材３の背面に設けられたねじ孔（図示せず）に螺入する。
【００３５】
これにより、図２に示すように、第２載置部材４の下部の取付凹部１５が第１載置部材３の背面に密着した状態で、第２載置部材４が第１載置部材３に取り付けられる。このときには、第２載置部材４の上部が第１載置部材３の上方に突出すると共に、第２載置部材４全体が後方に傾いた状態で起立する。これにより、載置台２が構成され、この載置台２を使用目的に応じて自動車の車内や室内の壁などに取り付けることができる。このときには、図３に示すように、第２載置部材４のリアケース１４の背面に種類の異なる第１、第２取付孔５６、５７、つまり、メートルねじの第１取付孔５６と、ユニファイねじの第２取付孔５７とが設けられているので、第１、第２取付孔５６、５７のいずれかを選択して自動車の車内や室内の壁などに容易に取り付けることができる。
【００３６】
次に、この携帯機器用載置装置を使用する場合について説明する。
まず、携帯端末機１を載置台２に載置して固定する場合には、携帯端末機１の下部を第１載置部材３の下部装着凹部８に上方から挿入する。すると、図１２に示すように、携帯端末機１の上部が第２載置部材４の上部装着凹部２０に対応して携帯端末機１全体が載置台２にほぼ垂直に配置される。このときには、携帯端末機１の下端面に設けられた機器側接続部（図示せず）が第１載置部材３の下部装着凹部８の底部に設けられた載置側接続部に対応するので、携帯端末機１の電極端子部と第１載置部材３の接続端子部とが電気的に接続されると共に、携帯端末機１の機器側通信部と第１載置部材３の載置側通信部とが対応し、これら機器側通信部と載置側通信部との間で光通信によるデータの授受が可能な状態になる。
【００３７】
この状態では、図１２に示すように、携帯端末機１の上端部が第２載置部材４のロック部材２２のローラ部材２７に当接するので、携帯端末機１の上部が第２載置部材４の上部装着凹部２０から前方（図１２では左側）に少し離れた状態で配置される。この状態で、携帯端末機１の上部を第２載置部材４の上部装着凹部２０に向けて押し付けると、図１３に示すように、携帯端末機１の上端部に沿ってローラ部材２７が転動しながら一対のコイルばね２６のばね力に抗して押し上げられる。このときには、回動アーム２４が軸部材２５を中心に図１３において時計回りに回転するので、ローラ部材２７が上方に向けて移動する。すなわち、ローラ部材２７が回転アーム２４の回転中心である軸部材２５よりも上方に位置しているので、ローラ部材２７が軸部材２５を中心に上方に向けて移動するときに、図１３に示すように、後側上方（同図では右側上方）に向けて斜めに移動するので、ローラ部材２７が携帯端末機１の上端部で押されると、無理なく斜め後方に向けて押し上げられる。
【００３８】
そして、ローラ部材２７が携帯端末機１の上端部の前側角部に到達して乗り越えるときには、図１４に示すように、一対のコイルばね２６のばね力によって回転アーム２４が軸部材２５を中心に図１４において反時計回りに回転するので、ローラ部材２７が下方に向けて移動すると共に、第２載置部材４の前方へも移動する。すなわち、このときにも、ローラ部材２７が回転アーム２４の回転中心である軸部材２５よりも上方に位置しているので、ローラ部材２７が前側下方（図１６では左側下方）に向けて斜め前方に移動するほか、特にローラ部材２７が携帯端末機１の上端部の前端角部を乗り越えるときに、回転アーム２４の長孔形状の取付孔３４に沿って軸部材２５が相対的に移動するので、回転アーム２４が軸部材２５に対し第２載置部材４の前方へ向けて移動し、これにより図１５に示すようにローラ部材２７が携帯端末機１の前面上部に位置する。
【００３９】
このため、ローラ部材２７が携帯端末機１の上端部の前端角部を乗り越えるときに、携帯端末機１の上端部の前端角部に対するローラ部材２７の食い込みや噛りなどの干渉を防ぐことができ、これによりローラ部材２７が携帯端末機１の上端部の前端角部を円滑に乗り越えことができると共に、図１６に示すようにローラ部材２７によって携帯端末機１の上部を第２載置部材４の上部装着凹部２０に挟んで確実に固定することができる。この状態では、図１５に示すように、ローラ部材２７が軸部材２５よりも上方に位置していることにより、ローラ部材２７を下部から第２載置部材４の上部後方に向けて斜めに移動させなければ、ローラ部材２７による携帯端末機１の係止を解除することができないため、回転アーム２４が勝手に上方に向けて回転することがなく、不用意にローラ部材２７による携帯端末機１の係止が解除されるのを防ぐことができる。
【００４０】
また、ローラ部材２７が携帯端末機１の上端部を乗り越えて携帯端末機１の上部が上部装着凹部２０に装着されるときには、図１３〜図１５に示すように、携帯端末機１の上部裏面が押出部材２３を押圧するので、押出部材２３の押出片４８が押圧されて上部装着凹部２０の収納凹部４７内に押し込まれると共に、コイルばね５０が収納凹部４７内に圧縮される。これにより、携帯端末機１の上部がローラ部材２７に係止された状態で第２装着部材４の上部装着凹部２０内に固定される。この状態では、図１６に示すように、携帯端末機１の下部が第１載置部材３の下部装着凹部８に装着され、携帯端末機１の上部が第２装着部材４の上部装着凹部２０に装着されてロック部材２２のローラ部材２７によって係止され、且つ携帯端末機１の裏面が押出部材２３によって押し出される方向に付勢されているので、携帯端末機１を載置台２にガタ付くことなく確実に固定することができる。このため、仮に自動車の車内に載置第２を取り付けても、車の走行時における振動によって携帯端末機１が載置台２に対しガタ付いて振動することがない。
【００４１】
次に、携帯端末機１を載置台２から取り外す場合について説明する。
このときには、携帯端末機１の上部を片手で掴む動作をするときに、その片手の人指し指を回転アーム２４のカバー部材３５の前端部に設けられた押上凹部４０に差し込んで、図１７に示すように、カバー部材３５を一対のコイルばね２６のばね力に抗して押し上げると、回転アーム２４が軸部材２５を中心に図１５において時計回りに回転し、ローラ部材２７を上方に移動させるので、ローラ部材２７による携帯端末機１の係止を解除することができる。このときにも、回転アーム２４がその長孔形状の取付孔３４に沿って軸部材２５に対し移動するので、円滑に回転アーム２４を上方に回動させてローラ部材２７による携帯端末機１の係止を解除することができる。これにより、載置台２に固定された携帯端末機１の上部を片手で掴む一連の自然な動作によって容易に携帯端末機１のロックを解除して携帯端末機１の上部を片手で掴むことができる。
【００４２】
また、このときには、図１５に示すように、第２載置部材４の上部装着凹部２０に設けられた押出部材２３によって携帯端末機１の上部が前方に向けて押し出される方向に付勢されているので、ローラ部材２７による携帯端末機１の係止が解除されると、携帯端末機１の上部が前方に押し出されて飛び出す。すなわち、押出部材２３のコイルばね５０が携帯端末機１の上部によって圧縮されているので、この圧縮されたコイルばね５０のばね復帰力によって押出片４８が収納凹部４７内から押し出される。これにより、ローラ部材２７による携帯端末機１の係止が解除されるのと同時に、携帯端末機１の上部が第２載置部材４の上部装着凹部２０内から押し出されて掌に飛び込む。このため、携帯端末機１を片手で掴む一連の自然な動作によって携帯端末機１のロックを解除して容易に且つ確実に携帯端末機１の上部を掴むことができる。これにより、携帯端末機１の取外し操作性が良く、携帯端末機１を簡単に且つ安全に載置台２から取り外すことができる。
【００４３】
このように、この携帯機器用載置装置によれば、携帯端末機１の下部を第１載置部材３の下部装着凹部８に挿入し、この状態で携帯端末機１の上部を第２載置部材４の上部装着凹部２０に押し付けるだけの簡単な操作で、携帯端末機１の上端部をロック部材２２のローラ部材２７で係止することができるので、携帯端末機１を載置台２に簡単に固定することができ、また携帯端末機１を載置台２から取り外す際には、携帯端末機１の上部を片手で掴むときに、その片手の人指し指で回動アーム２４を上方に向けて回動させることにより、ローラ部材２７による携帯端末機１の係止を解除することができ、これにより携帯端末機１を片手で掴む一連の自然な動作によって携帯端末機１のロックを解除して容易に且つ確実に携帯端末機１の上部を掴むことができるので、携帯端末機１の載置台２に対する着脱操作性が良い。
【００４４】
また、この携帯機器用載置装置によれば、携帯端末機１の上端部をロック部材２２でロックする際、ローラ部材２７が携帯端末機１の上部前面を係止する構造であるから、先行文献のような固定フックおよび可動フックが係合する凹部状の係合部を携帯端末機１の外周面に設ける必要がなく、このため携帯端末機１の外観を損なうことがないので、外観的にもデザイン的にも好ましい携帯端末機１を得ることができる。この場合、特にローラ部材２７は、ローラ軸４３の両側にゴムローラ４４が取り付けられている構成であるから、携帯端末機１の上端部をローラ部材２７が乗り越えて係止するときに、ゴムローラ４４によって携帯端末機１の上端部を傷付けないようにすることができると共に、ローラ部材２７が携帯端末機１の上部前面に当接して係止したときにも、ゴムローラ４４によって携帯端末機１の上部前面を傷付けずないようにすることができる。しかも、ローラ部材２７が携帯端末機１の上部前面を係止したとには、ゴムローラ４４で弾力的に保持することができるので、これによっても携帯端末機１を良好に載置台２に固定することができる。
【００４５】
なお、上記実施形態では、載置台２に載置される携帯機器として、携帯端末機１を用いた場合について述べたが、これに限らず、例えば携帯電話機やＤＰＡ（パーソナル・デジタル・アシスタント）などの携帯機器にも広く適用することができる。
【００４６】
【考案の効果】
以上説明したように、この考案によれば、携帯機器が載置される載置部と、この載置部の上側内部に固定される軸部材と、この軸部材に回動可能に支持されて載置部の上端面に対し上下方向に回動する回転アームと、この回転アームを下方に向けて付勢する付勢部材と、回転アームの前端部に回転自在に取り付けられて載置部に載置された携帯機器の上部前面を係脱可能に係止するローラ部材とを備えていることにより、携帯機器を載置部に固定するときに、携帯機器の下部を載置部に載置して携帯機器の上部を載置部に向けて押し付けると、携帯機器の上端部が付勢部材の付勢力に抗してローラ部材を押し上げるので、回転アームが軸部材を中心に上方に向けて回動し、ローラ部材が携帯機器の上端部を乗り越えると、付勢部材の付勢力によって回転アームが下方に向けて回動してローラ部材が携帯機器の上部前面を係止するので、ローラ部材によって携帯機器の上端部を載置部との間に挟むことができ、これにより載置部に携帯機器を確実に固定することができる。
【００４７】
また、この携帯機器を載置部から取り外すときには、携帯機器の上部を片手で掴むときに、その片手の人指し指で付勢部材の付勢力に抗して回転アームを上方に回動させることにより、ローラ部材による携帯機器の係止を解除することができるので、携帯機器の上部を容易に掴むことができ、これにより携帯機器を片手で掴む一連の動作によって携帯機器を載置部から簡単に且つ安全に取り外すことができる。また、回転アームに取り付けられたローラ部材が携帯機器の上端部を乗り越えて係脱可能に係止するので、先行文献のように携帯機器の外周面に凹部状の係合部を設ける必要がなく、このため携帯機器の外観が損なわれず、外観的にもデザイン的に好ましい携帯機器を得ることができる。
【００４８】
この場合、ローラ部材が軸部材よりも上方に位置していることにより、回転アームに設けられたローラ部材が軸部材を中心とする円弧状の軌跡上を移動するので、回転アームが下方に向けて回動するときに、ローラ部材が上方から載置部の上部前方に向けて斜め下方に移動することになり、これによりローラ部材によって携帯機器の上部前面を確実に係止することができる。また、この状態でローラ部材による携帯機器の係止を解除するときには、ローラ部材を下部側から載置部の上部後方に向けて斜め上方に移動させる必要があるため、不用意に回転アームが上方に向けて回動してローラ部材による携帯機器の係止が解除されるのを防ぐことができる。
【００４９】
また、回転アームには、軸部材が移動可能に挿入する長孔形状の取付孔が設けられていることにより、携帯機器を載置部に固定するときに、携帯機器の上端部がローラ部材を押し上げて乗り越えると、付勢部材の付勢力によってローラ部材が上方から載置部の前方に向けて斜め下方に移動するが、このときに回転アームがその長孔形状の取付孔に沿って軸部材に対し移動するので、携帯機器の上端部の前側角部に対するローラ部材の食い込みや噛りなどの干渉を防ぐことができ、これにより円滑にローラ部材が携帯機器の上端部を乗り越えることができると共に、ローラ部材によって携帯機器の上部前面を確実に係止することができる。また、ローラ部材による携帯機器の係止を解除するときも、同様に、回転アームがその長孔形状の取付孔に沿って軸部材に対し移動するので、円滑に回転アームを上方に回動させてローラ部材による携帯機器の係止を解除することができ、これによりローラ部材による携帯機器の係脱動作を円滑に且つ良好に行うことができる。
【００５０】
さらに、携帯機器を載置部から離脱させる方向に付勢する押出部材を備えていることにより、携帯機器の上部を片手で掴むときに、その片手の人指し指で付勢部材の付勢力に抗して回転アームを上方に回動させて、ローラ部材による携帯機器の係止を解除すると、押出部材によって携帯機器の上部が載置部から離脱する方向に押し出されて片手の掌に飛び込むので、携帯機器を載置部から取り外すときに、携帯機器の上部を確実に掴むことができ、これにより携帯機器の取り外し操作性を向上させることができ、より一層、携帯機器を簡単に且つ安全に取り外すことができる。
【図面の簡単な説明】
【図１】この考案の携帯機器用載置装置の一実施形態において携帯端末機を載置して固定した状態を示した外観斜視図。
【図２】図１において携帯端末機を取り外した状態の載置台を示した外観斜視図。
【図３】図２の載置台を背面側から見た外観斜視図。
【図４】図２の載置台の第２載置部材を示した外観斜視図。
【図５】図４の第２載置部材のフロントケースを示した斜視図。
【図６】図４の第２載置部材のリアケースを示した斜視図。
【図７】図５のフロントケースを背面側から見た斜視図。
【図８】図７においてロック部材を分解した斜視図。
【図９】図８の要部を示した分解斜視図。
【図１０】図９を組み立てた状態を示した斜視図。
【図１１】図５のフロントケースにおいて押出部材を分解した状態を示した斜視図。
【図１２】図２の載置台に携帯端末機の下部を載置して携帯端末機の上部を固定する前の状態を示した側面図。
【図１３】図１２の状態でローラ部材が携帯端末機の上端部を乗り越えるときの状態を示した一部破断側面図。
【図１４】図１３の状態でローラ部材が携帯端末機の上端部に前端角部を乗り越えるときの状態を示した一部破断側面図。
【図１５】図１４の状態でローラ部材が携帯端末機の上端部に前端角部を乗り越えた状態を示した一部破断側面図。
【図１６】図１５の状態で携帯端末機の上端部をローラ部材が乗り越えて携帯端末機の上部を載置台に固定した状態を示した側面図。
【図１７】図１６の状態で回転アームを指先で押し上げてローラ部材による携帯端末機の係止を解除した状態を示した側面図。
【符号の説明】
１　携帯端末機
２　載置台
３　第１載置部材
４　第２載置部材
８　下部装着凹部
１３　フロントケース
１４　リアケース
１５　取付凹部
２０　上部装着凹部
２２　ロック部材
２３　押出部材
２４　回転アーム
２５　軸部材
２６　コイルばね
２７　ローラ部材
２８　開口部
３０　リブ
３１　軸受溝
３２　アーム本体
３３　アーム支持部
３４　長孔形状の取付孔
３５　カバー部材
４０　押上凹部
４１　固定金具
４３　ローラ軸
４４　ゴムローラ
【図１】
0003098456.tif 000003
【図２】
0003098456.tif 000004
【図３】
0003098456.tif 000005
【図４】
0003098456.tif 000006
【図５】
0003098456.tif 000007
【図６】
0003098456.tif 000008
【図７】
0003098456.tif 000009
【図８】
0003098456.tif 000010
【図９】
0003098456.tif 000011
【図１０】
0003098456.tif 000012
【図１１】
0003098456.tif 000013
【図１２】
0003098456.tif 000014
【図１３】
0003098456.tif 000015
【図１４】
0003098456.tif 000016
【図１５】
0003098456.tif 000017
【図１６】
0003098456.tif 000018
【図１７】
0003098456.tif 000019